(57)【要約】【課題】ヘッドやピックアップなどのシークが頻繁に発生することによる映像の記録性能の劣化を防止することができる監視映像記録装置を得ることを目的とする。【解決手段】記録媒体１１が固定長のブロックに分割されており、記録媒体１１における複数のブロックの中の可能な限り隣接しているブロックが、映像の常時記録及びプリアラーム記録を行うブロックとして割り当てられており、映像常時記録部１８が常時記録に割り当てられているブロックに映像を記録し、映像プリアラーム記録部１９がプリアラーム記録に割り当てられているブロックに映像を記録する。【選択図】図１
2008182460.tif 000002
【特許請求の範囲】
【請求項１】
記録領域が固定長のブロックに分割されており、複数のブロックの中の可能な限り隣接しているブロックが、映像の常時記録及びプリアラーム記録を行うブロックとして割り当てられている記録媒体と、監視カメラにより撮影された映像を受信する映像受信手段と、アラーム信号源からアラーム信号を受信するアラーム信号受信手段と、上記映像受信手段により受信された映像が常時記録を行う映像であるか否かを識別するとともに、上記映像受信手段により受信された映像がプリアラーム記録を行う映像であるか否かを識別する映像識別手段と、上記映像識別手段により常時記録を行う映像であると識別された場合、上記記録媒体における複数のブロックの中から、上記映像受信手段により受信された映像の常時記録に割り当てられているブロックを確認し、上記映像を当該ブロックに記録する映像常時記録手段と、上記映像識別手段によりプリアラーム記録を行う映像であると識別された場合、上記記録媒体における複数のブロックの中から、上記映像受信手段により受信された映像のプリアラーム記録に割り当てられているブロックを確認し、上記映像受信手段により受信された映像のうち、上記アラーム信号受信手段によりアラーム信号が受信された前後の時間帯の映像を当該ブロックに記録する映像プリアラーム記録手段とを備えた監視映像記録装置。
【請求項２】
映像受信手段により受信された映像の常時記録及びプリアラーム記録を行うブロックとして、記録媒体における複数のブロックの中の可能な限り隣接しているブロックを割り当てるブロック割当手段を設けたことを特徴とする請求項１記載の監視映像記録装置。
【請求項３】
映像プリアラーム記録手段は、映像受信手段により受信された映像を所定の保存期間だけ保管するメモリを有し、所定の保存期間が経過すると、上記映像を上記メモリ上から削除することを特徴とする請求項１または請求項２記載の監視映像記録装置。
【請求項４】
ブロック割当手段は、映像受信手段により受信された映像のプリアラーム記録を行うブロックとして、記録媒体における複数のブロックの中の連続している複数のブロックを割り当てることを特徴とする請求項２記載の監視映像記録装置。
【請求項５】
ブロック割当手段は、プリアラーム記録を行うブロックの他に、映像受信手段により受信された映像を一時的に保管するブロックとして、記録媒体における複数のブロックの中の任意のブロックを割り当てることを特徴とする請求項２記載の監視映像記録装置。
【請求項６】
映像受信手段により受信された映像の常時記録及びプリアラーム記録を行うブロックとして、記録媒体における複数のブロックの中の不要なブロックを優先的に割り当てるブロック割当手段を設けたことを特徴とする請求項１記載の監視映像記録装置。
【発明の詳細な説明】
【技術分野】
【０００１】
この発明は、監視カメラにより撮影された映像を受信して、その映像を記録する監視映像記録装置に関するものである。
【背景技術】
【０００２】
監視カメラにより撮影された映像（デジタルの映像データ）をハードディスクなどの記録媒体に記録する監視映像記録装置の記録方式としては、大きく２種類に分類することができる。
即ち、監視カメラにより撮影された映像を常に記録し続ける常時記録方式と、アラーム信号源からアラーム信号を受信すると、一定時間、監視カメラにより撮影された映像を記録するアラーム記録方式とが存在する。
【０００３】
常時記録方式は、記録領域の先頭から時間順に映像の蓄積を開始し、記録領域の末尾まで映像を蓄積すると、再度、記録領域の先頭から映像の上書き蓄積を行うものであって、記録領域をリング状に使用して、サイクリックに記録を行う方式である。
このように、常時記録方式では、最新の映像を常に一定期間記録するものであり、かつ、記録媒体の内部で映像を時間順に記録するものであるため、監視カメラにより撮影された映像を容易に管理することができる。
【０００４】
アラーム記録方式は、さらに、アラーム信号源からアラーム信号を受信した後の映像を記録するポストアラーム記録方式と、アラーム信号源からアラーム信号を受信する前の映像を記録するプリアラーム記録方式とに分類することができる。
プリアラーム記録方式では、アラーム信号を受信する前の映像を中長期間記録する記録媒体とは別に、比較的高速にアクセスが可能なメモリなどの記録媒体を用意し、この高速記録媒体上にプリアラーム専用のバッファをリング状に確保する必要がある。
即ち、プリアラーム記録方式は、アラーム信号が発生していない期間でも、監視カメラにより撮影された映像をリング状のバッファに一定時間保管し、アラーム信号源からアラーム信号を受信すると、そのリング状のバッファに保管されている映像を読み込んで、その映像を記録媒体に記録する動作を行うものである。
【０００５】
プリアラーム記録方式では、高速記録媒体を用意しない場合には、記録媒体上にプリアラーム専用のバッファをリング状に確保し、アラーム信号が発生していない期間でも、監視カメラにより撮影された映像をリング状のバッファに記録し、アラーム信号源からアラーム信号を受信すると、その受信時刻の前の映像に対する上書きを禁止する設定を行うように動作する（例えば、特許文献１参照）。
特許文献１に開示されている監視映像記録装置の場合、あくまでもプリアラーム記録方式を実現するものであり、プリアラーム記録方式と常時記録方式を同時に実現するものではない。
【０００６】
プリアラーム記録方式と常時記録方式を同時に実現する監視映像記録装置の場合、事前に、記録媒体を常時記録用領域とプリアラーム記録用領域に分割し、アラーム信号源からアラーム信号を受信すると、常時記録用領域とプリアラーム記録用領域に対して交互に映像の記録を行うようにしている（例えば、特許文献２参照）。
【０００７】
【特許文献１】特開２００１−３３３４１５号公報（段落番号［００２３］、図３）
【特許文献２】特開２００５−１５１５０５号公報（段落番号［０００８］から［００１３］、図１）
【発明の開示】
【発明が解決しようとする課題】
【０００８】
従来の監視映像記録装置は以上のように構成されているので、アラーム信号源からアラーム信号を受信すると、常時記録用領域とプリアラーム記録用領域に対して交互に映像の記録を行うようにすれば、プリアラーム記録方式と常時記録方式を同時に実現することができる。しかし、記録媒体が例えばハードディスクなどのディスク装置であれば、常時記録用領域とプリアラーム記録用領域に対して交互に映像の記録を行う際、ヘッドやピックアップなどのシークが頻繁に発生し、映像の記録性能が劣化するなどの課題があった。
【０００９】
この発明は上記のような課題を解決するためになされたもので、ヘッドやピックアップなどのシークが頻繁に発生することによる映像の記録性能の劣化を防止することができる監視映像記録装置を得ることを目的とする。
【課題を解決するための手段】
【００１０】
この発明に係る監視映像記録装置は、複数のブロックの中の可能な限り隣接しているブロックが、映像の常時記録及びプリアラーム記録を行うブロックとして割り当てられており、映像識別手段により常時記録を行う映像であると識別された場合、映像常時記録手段が記録媒体における複数のブロックの中から、映像受信手段により受信された映像の常時記録に割り当てられているブロックを確認して、その映像を当該ブロックに記録し、映像識別手段によりプリアラーム記録を行う映像であると識別された場合、映像プリアラーム記録手段が記録媒体における複数のブロックの中から、映像受信手段により受信された映像のプリアラーム記録に割り当てられているブロックを確認し、映像受信手段により受信された映像のうち、アラーム信号受信手段によりアラーム信号が受信された前後の時間帯の映像を当該ブロックに記録するようにしたものである。
【発明の効果】
【００１１】
この発明によれば、複数のブロックの中の可能な限り隣接しているブロックが、映像の常時記録及びプリアラーム記録を行うブロックとして割り当てられており、映像識別手段により常時記録を行う映像であると識別された場合、映像常時記録手段が記録媒体における複数のブロックの中から、映像受信手段により受信された映像の常時記録に割り当てられているブロックを確認して、その映像を当該ブロックに記録し、映像識別手段によりプリアラーム記録を行う映像であると識別された場合、映像プリアラーム記録手段が記録媒体における複数のブロックの中から、映像受信手段により受信された映像のプリアラーム記録に割り当てられているブロックを確認し、映像受信手段により受信された映像のうち、アラーム信号受信手段によりアラーム信号が受信された前後の時間帯の映像を当該ブロックに記録するように構成したので、ヘッドやピックアップなどのシークが頻繁に発生することによる映像の記録性能の劣化を防止することができる効果がある。
【発明を実施するための最良の形態】
【００１２】
実施の形態１．
図１はこの発明の実施の形態１による監視映像記録装置を示す構成図であり、図において、監視カメラ１は所定の監視領域に設置されており、監視領域を撮影して監視領域の映像を監視映像記録装置に配信する装置である。図１の例では、Ｎ台の監視カメラ１が設置されているものとするが、監視カメラ１の台数は１台でもよい。
アラーム信号源２は所定の監視領域に設置されており、例えば、監視領域の異常を検知すると、アラーム信号を監視映像記録装置に送信するセンサ装置である。図１の例では、Ｎ台のアラーム信号源２が設置されているものとするが、アラーム信号源２の台数は１台でもよい。
【００１３】
記録媒体１１は例えばハードディスクなどのディスク装置であり、記録領域が固定長のブロックに分割されている。
映像待避部１２は映像変換部１５により変換された映像を所定の保存期間だけ保管するメモリである。
ブロック割当部１３は映像常時記録部１８から映像の常時記録を行うブロックの割当要求を受けると、映像受信部１４により受信された映像、即ち、映像変換部１５により変換された映像を常時記録するブロックを記録媒体１１に割り当てる処理を実施する。また、映像プリアラーム記録部１９から映像のプリアラーム記録を行うブロックの割当要求を受けると、映像のプリアラーム記録を行うブロックとして、映像の常時記録を行うブロックと可能な限り隣接するブロックを割り当てる処理を実施する。なお、ブロック割当部１３はブロック割当手段を構成している。
【００１４】
映像受信部１４はＮ台の監視カメラ１から配信される映像を受信する処理を実施する。なお、映像受信部１４は映像受信手段を構成されている。
映像変換部１５は映像受信部１４により受信された映像を記録に適する形式に変換する処理を実施する。
アラーム信号受信部１６はアラーム信号源２から送信されるアラーム信号を受信する処理を実施する。なお、アラーム信号受信部１６はアラーム信号受信手段を構成している。
【００１５】
映像識別部１７は映像変換部１５により変換された映像が常時記録を行う映像であるか否かを識別するとともに、映像変換部１５により変換された映像がプリアラーム記録を行う映像であるか否かを識別する処理を実施する。なお、映像識別部１７は映像識別手段を構成している。
映像常時記録部１８は映像識別部１７により常時記録を行う映像であると識別された場合、記録媒体１１における複数のブロックの中から、映像変換部１５により変換された映像の常時記録に割り当てられているブロックを確認し、その映像を当該ブロックに記録する処理を実施する。なお、映像常時記録部１８は映像常時記録手段を構成している。
【００１６】
映像プリアラーム記録部１９は映像識別部１７によりプリアラーム記録を行う映像であると識別された場合、映像変換部１５により変換された映像を一時的に映像待避部１２に格納する一方、記録媒体１１における複数のブロックの中から、映像変換部１５により変換された映像のプリアラーム記録に割り当てられているブロックを確認し、映像待避部１２に保管されている映像のうち、アラーム信号受信部１６によりアラーム信号が受信された前後の時間帯の映像を当該ブロックに記録する処理を実施する。
また、映像プリアラーム記録部１９は映像変換部１５により変換された映像を映像待避部１２に格納してから、所定の保存期間が経過すると、その映像を映像待避部１２上から削除する処理も実施する。
なお、映像プリアラーム記録部１９及び映像待避部１２から映像プリアラーム記録手段が構成されている。
【００１７】
図２は記録領域が固定長のブロックＢ１，Ｂ２，・・・ＢＭに分割されている記録媒体１１を示す説明図である。
図３はこの発明の実施の形態１による監視映像記録装置が映像を常時記録する際の処理内容を示すフローチャートである。
図４はこの発明の実施の形態１による監視映像記録装置が映像をプリアラーム記録する際の処理内容を示すフローチャートである。
【００１８】
次に動作について説明する。
Ｎ台の監視カメラ１は、設置されている監視領域を撮影して、監視領域の映像を監視映像記録装置に配信する。
監視映像記録装置の映像受信部１４は、Ｎ台の監視カメラ１から配信される映像を受信する（ステップＳＴ１）。
【００１９】
映像変換部１５は、映像受信部１４が映像を受信すると、その映像を記録に適する形式に変換する。
即ち、映像変換部１５は、例えば、映像受信部１４により受信された映像がアナログ映像であれば、そのアナログ映像をＡ／Ｄ変換して、Ａ／Ｄ変換後のデジタル映像を符号化する処理を実施する。
また、映像変換部１５は、映像受信部１４により受信された映像の配信元である監視カメラ１の識別番号や、監視カメラ１による映像の撮影日時を示す属性情報を符号化後の映像に付加する処理を実施する。
ここでは、映像変換部１５が監視カメラ１の識別番号や撮影日時を示す情報を映像に付加するものについて示したが、監視カメラ１から配信される映像がデジタル映像であって、監視カメラ１の識別番号や撮影日時を示す属性情報がデジタル画像に含まれている場合には、映像変換部１５が当該属性情報を映像に付加する必要はない。
【００２０】
映像識別部１７は、映像受信部１４により受信された映像に含まれている属性情報、または、映像変換部１５により付加された属性情報を参照して、映像受信部１４により受信された映像の配信元である監視カメラ１を認識する。
映像識別部１７は、映像の配信元である監視カメラ１を認識すると、その映像の記録方式を確認する（ステップＳＴ２）。
即ち、映像識別部１７は、予め設定されているテーブル（図５を参照）を参照し、監視カメラ１の識別番号をキーにして、監視カメラ１の映像が常時記録を行う映像であるのか、プリアラーム記録を行う映像であるのかを確認する。
図５の例では、識別番号“１”の監視カメラ１の映像は、常時記録のみを行う映像であり、識別番号“２”の監視カメラ１の映像は、プリアラーム記録のみを行う映像である。
また、識別番号“３”の監視カメラ１の映像は、常時記録とプリアラーム記録の両方を行う映像である。
【００２１】
映像プリアラーム記録部１９は、映像識別部１７の識別結果がプリアラーム記録を行う映像である旨を示している場合（ステップＳＴ３）、映像変換部１５により変換された映像を映像待避部１２に一時的に格納する（ステップＳＴ４）。
なお、映像識別部１７の識別結果がプリアラーム記録を行う映像ではない旨を示している場合（ステップＳＴ３）、映像変換部１５により変換された映像をプリアラーム記録する必要がないので、その映像を映像待避部１２には格納しない。
【００２２】
映像常時記録部１８は、映像識別部１７の識別結果が常時記録を行う映像である旨を示している場合（ステップＳＴ５）、記録媒体１１における複数のブロックの中から、映像変換部１５により変換された映像の常時記録に割り当てられているブロックを確認する（ステップＳＴ６）。
即ち、映像常時記録部１８は、監視カメラ１の映像（映像変換部１５により変換された映像）と、ブロック割当部１３により割り当てられたブロックとの対応関係を示すテーブルを保持しており、そのテーブルを参照して、映像変換部１５により変換された映像の常時記録に割り当てられているブロックを確認する。
【００２３】
映像常時記録部１８は、映像変換部１５により変換された映像の常時記録を行うブロックを確認することができない場合（ステップＳＴ７）、例えば、未だブロック割当部１３によって映像の常時記録を行うブロックが割り当てられていない場合や、ブロック割当部１３によって映像の常時記録を行うブロックが割り当てられているが、ブロックの空容量不足が原因で映像の記録が不能な状態にある場合、映像の常時記録を行うブロックの割当要求をブロック割当部１３に出力する（ステップＳＴ８）。
【００２４】
ブロック割当部１３は、映像常時記録部１８から映像の常時記録を行うブロックの割当要求を受けると、映像変換部１５により変換された映像の常時記録を行うブロックを記録媒体１１に割り当てて、その割当結果を映像常時記録部１８に通知する。
ブロック割当部１３は、常時記録を行うブロックを記録媒体１１に割り当てるに際して、先頭のブロックＢ１から順番に常時記録を行うブロックを割り当てるようにする。即ち、最後に割り当てが行われているブロックより後ろのブロックの中で、書き込みが禁止されていない最初のブロックを割り当てるようにする。
ブロックに対する書き込みの禁止については、プリアラーム記録の際に自動的に設定するように構成してもよいし、図示しないユーザーが手動で設定するように構成してもよいし、指定時間の経過後に書き込み禁止状態を自動的に解除するように構成してもよい。
因みに、記録媒体１１は末尾のブロックＢＭの次のブロックが先頭のブロックＢ１であると定義されており、記録媒体１１はリングバッファを構成している。
【００２５】
映像常時記録部１８は、映像変換部１５により変換された映像の常時記録を行うブロックを確認することができた場合（ステップＳＴ７）、あるいは、ブロック割当部１３により映像の常時記録を行うブロックが割り当てられた場合（ステップＳＴ８）、映像変換部１５により変換された映像を当該ブロックに記録する（ステップＳＴ９）。
【００２６】
アラーム信号源２は、所定の監視領域に設置されており、例えば、監視領域の異常を検知すると、アラーム信号を監視映像記録装置に送信する。
なお、アラーム信号源２が送信するアラーム信号には、対応している監視カメラ１の識別番号を示す属性情報が付加されているものとする。
監視映像記録装置のアラーム信号受信部１６は、アラーム信号源２がアラーム信号を送信すると、そのアラーム信号を受信する（ステップＳＴ１１）。
【００２７】
映像プリアラーム記録部１９は、アラーム信号受信部１６がアラーム信号を受信すると、そのアラーム信号に付加されている属性情報を参照して、プリアラーム記録を行う映像を配信している監視カメラ１を識別する（ステップＳＴ１２）。
映像プリアラーム記録部１９は、プリアラーム記録を行う映像を配信している監視カメラ１を識別すると、その監視カメラ１により撮影された映像が映像待避部１２に格納されているか否かを確認する（ステップＳＴ１３）。
なお、監視カメラ１により撮影された映像がプリアラーム記録を行う映像であれば、上述したように、ステップＳＴ４で、映像プリアラーム記録部１９が映像変換部１５により変換された映像を映像待避部１２に一時的に格納している。
【００２８】
映像プリアラーム記録部１９は、監視カメラ１により撮影された映像が映像待避部１２に格納されている場合、記録媒体１１における複数のブロックの中から、映像変換部１５により変換された映像のプリアラーム記録に割り当てられているブロックを確認する（ステップＳＴ１４）。
即ち、映像プリアラーム記録部１９は、監視カメラ１の映像（映像変換部１５により変換された映像）と、ブロック割当部１３により割り当てられたブロックとの対応関係を示すテーブルを保持しており、そのテーブルを参照して、映像変換部１５により変換された映像のプリアラーム記録に割り当てられているブロックを確認する。
【００２９】
映像プリアラーム記録部１９は、映像変換部１５により変換された映像のプリアラーム記録を行うブロックを確認することができない場合（ステップＳＴ１５）、例えば、未だブロック割当部１３によって映像のプリアラーム記録を行うブロックが割り当てられていない場合や、ブロック割当部１３によって映像のプリアラーム記録を行うブロックが割り当てられているが、ブロックの空容量不足が原因で映像の記録が不能な状態にある場合、映像のプリアラーム記録を行うブロックの割当要求をブロック割当部１３に出力する（ステップＳＴ１６）。
【００３０】
ブロック割当部１３は、映像プリアラーム記録部１９から映像のプリアラーム記録を行うブロックの割当要求を受けると、映像変換部１５により変換された映像のプリアラーム記録を行うブロックを記録媒体１１に割り当てて、その割当結果を映像常時記録部１８に通知する。
即ち、ブロック割当部１３は、映像のプリアラーム記録を行うブロックとして、映像の常時記録を行うブロックと可能な限り隣接するブロックを割り当てるようにする。
例えば、映像の常時記録を行うブロックとしてブロックＢ２を割り当てていれば、映像のプリアラーム記録を行うブロックとして、ブロックＢ３を割り当てるようにする。
ただし、ブロックＢ３が他の映像の常時記録を行うブロックとして既に割り当てている場合には、未だ割り当てられていないブロックの中で最初のブロックを割り当てるようにする。例えば、ブロックＢ４が未だ割り当てられていなければ、ブロックＢ４を割り当てるようにする。
【００３１】
映像プリアラーム記録部１９は、映像変換部１５により変換された映像のプリアラーム記録を行うブロックを確認することができた場合（ステップＳＴ１５）、あるいは、ブロック割当部１３により映像のプリアラーム記録を行うブロックが割り当てられた場合（ステップＳＴ１６）、映像待避部１２に保管されている映像のうち、アラーム信号受信部１６によりアラーム信号が受信された前後の時間帯の映像を当該ブロックに記録する（ステップＳＴ１７）。
なお、映像プリアラーム記録部１９は、映像変換部１５により変換された映像を映像待避部１２に格納してから、所定の保存期間が経過すると、その映像を映像待避部１２上から削除する処理も実施する。
【００３２】
図３及び図４の例では、ステップＳＴ１３において、映像待避部１２に一時的に格納されている映像がなくなれば、映像のプリアラーム記録を終了する。
ステップＳＴ１１〜ＳＴ１７における映像のプリアラーム記録処理は、アラーム信号を受信すると実施されるが、図３の常時記録処理と置き換わるのではなく、図３の常時記録処理と並列的に実施される。
【００３３】
したがって、この実施の形態１の監視映像記録装置では、映像の常時記録のみを実施している状態にあれば、映像常時記録部１８がブロックＢ１からブロックＢＭまで順番に映像を記録し、末尾のブロックＢＭまで映像の記録が終了すると、再度、ブロックＢ１に戻り、最新の映像を最古の映像に対して上書き記録を行う。
また、映像の常時記録を実施しているとき、アラーム信号を受信するような場合、例えば、映像常時記録部１８が映像をブロックＢ２に常時記録しているとき、アラーム信号受信部１６がアラーム信号を受信するような場合には、ブロック割当部１３が映像のプリアラーム記録を行うブロックとして、ブロックＢ３を割り当てて、映像プリアラーム記録部１９が映像をブロックＢ３にプリアラーム記録する。
映像プリアラーム記録部１９が映像をブロックＢ３にプリアラーム記録しているとき、映像常時記録部１８がブロックＢ２に対する映像の常時記録を終えると、ブロック割当部１３が映像の常時記録を行うブロックとして、ブロックＢ４を割り当てるようになる。
【００３４】
ブロック割当部１３がプリアラーム記録を行うブロックとして、例えば、ブロックＢ３，Ｂ５，Ｂ６を割り当てると、記録媒体１１に構成されるリングバッファは、図６のようになる。
この場合、映像プリアラーム記録部１９は、プリアラーム記録の管理情報として、アラーム信号の発生時刻や種類のほかに、ブロックＢ３，Ｂ５，Ｂ６を管理する（ブロックＢ３，Ｂ５，Ｂ６に対応する監視カメラ１の映像を管理する）。
【００３５】
以上で明らかなように、この実施の形態１によれば、複数のブロックの中の可能な限り隣接しているブロックが、映像の常時記録及びプリアラーム記録を行うブロックとして割り当てられており、映像識別部１７により常時記録を行う映像であると識別された場合、映像常時記録部１８が記録媒体１１における複数のブロックの中から、映像変換部１５により変換された映像の常時記録に割り当てられているブロックを確認して、その映像を当該ブロックに記録し、映像識別部１７によりプリアラーム記録を行う映像であると識別された場合、映像プリアラーム記録部１９が記録媒体１１における複数のブロックの中から、映像変換部１５により変換された映像のプリアラーム記録に割り当てられているブロックを確認し、映像変換部１５により変換された映像のうち、アラーム信号受信部１６によりアラーム信号が受信された前後の時間帯の映像を当該ブロックに記録するように構成したので、ヘッドやピックアップなどのシークが頻繁に発生することによる映像の記録性能の劣化を防止することができる効果を奏する。
即ち、記録媒体１１がハードディスクなどのディスク装置である場合、映像を記録する際に物理的な動作を伴うが、常時記録に割り当てられているブロックと映像のプリアラーム記録に割り当てられているブロックが隣接しているので、物理的な動作を抑制することができるようになり、映像の記録性能の劣化を防止することができる。
【００３６】
なお、この実施の形態１では、記録媒体１１に記録する映像の間引きについては言及していないが、映像常時記録部１８及び映像プリアラーム記録部１９が映像を記録媒体１１に記録する際、映像の間引きを実施してから記録するようにしてもよい。
また、映像常時記録部１８及び映像プリアラーム記録部１９における映像の間引き頻度については、別々に設定するようにしてもよい。
【００３７】
実施の形態２．
上記実施の形態１では、ブロック割当部１３が映像プリアラーム記録部１９から映像のプリアラーム記録を行うブロックの割当要求を受けると、映像のプリアラーム記録を行うブロックとして、映像の常時記録を行うブロックと可能な限り隣接するブロックを割り当てるものについて示したが、映像変換部１５により変換された映像のプリアラーム記録を行うブロックとして、記録媒体１１における複数のブロックの中で連続している複数のブロックを割り当てるようにしてもよい。
【００３８】
即ち、ブロック割当部１３は、映像のプリアラーム記録を行うブロックを割り当てる際、監視カメラ２により撮影された映像の画面サイズ、圧縮率、フレームレート、プリアラーム記録の実施時間などの情報から、プリアラーム記録を行う際に必要な記録容量を計算し、その記録容量に相当するブロックの数が２以上であれば、映像のプリアラーム記録を行うブロックとして、記録媒体１１における複数のブロックの中で連続している２以上のブロックを割り当てるようにする。
例えば、映像常時記録部１８が映像をブロックＢに常時記録しているとき、アラーム信号受信部１６がアラーム信号を受信し、プリアラーム記録を行う際に必要な記録容量に相当するブロックの数が２であれば、ブロック割当部１３が映像のプリアラーム記録を行うブロックとして、ブロックＢ３，Ｂ４を割り当てるようにする。
【００３９】
以上で明らかなように、この実施の形態２によれば、映像変換部１５により変換された映像のプリアラーム記録を行うブロックとして、記録媒体１１における複数のブロックの中で連続している複数のブロックを割り当てるように構成したので、映像のプリアラーム記録を行うブロックが複数個割り当てられる場合でも、映像のプリアラーム記録を行うブロックの管理が容易になる効果が得られる。
【００４０】
実施の形態３．
図７はこの発明の実施の形態３による監視映像記録装置を示す構成図であり、図において、図１と同一符号は同一または相当部分を示すので説明を省略する。
ブロック割当部２１は図１のブロック割当部１３と同様に、映像常時記録部１８から映像の常時記録を行うブロックの割当要求を受けると、映像変換部１５により変換された映像を常時記録するブロックを記録媒体１１に割り当てる処理を実施するとともに、映像プリアラーム記録部１９から映像のプリアラーム記録を行うブロックの割当要求を受けると、映像のプリアラーム記録を行うブロックとして、映像の常時記録を行うブロックと可能な限り隣接するブロックを割り当てる処理を実施する。
また、ブロック割当部２１は映像待避部１２の代わりに、映像変換部１５により変換された映像を一時的に保管するブロック（以下、「待避ブロック」と称する）として、記録媒体１１における複数のブロックの中の任意のブロックを割り当てる処理を実施する。なお、ブロック割当部２１はブロック割当手段を構成している。
【００４１】
映像プリアラーム記録部２２は映像識別部１７によりプリアラーム記録を行う映像であると識別された場合、映像変換部１５により変換された映像を一時的にブロック割当部２１により割り当てられた待避ブロックに格納する一方、記録媒体１１における複数のブロックの中から、映像変換部１５により変換された映像のプリアラーム記録に割り当てられているブロックを確認し、上記待避ブロックに保管されている映像のうち、アラーム信号受信部１６によりアラーム信号が受信された前後の時間帯の映像をプリアラーム記録に割り当てられているブロックに記録する処理を実施する。
なお、映像プリアラーム記録部２２は映像プリアラーム記録手段を構成している。
【００４２】
上記実施の形態１では、映像変換部１５により変換された映像を一時的に格納する映像待避部１２が実装されているものについて示したが、映像待避部１２の代わりに、映像変換部１５により変換された映像を一時的に格納する待避ブロックとして、ブロック割当部２１が記録媒体１１における複数のブロックの中の任意のブロックを割り当てるようにしてもよい。
例えば、プリアラーム記録用に一時的に保管しておく映像のデータサイズがブロック４つ分に相当する場合、ブロック割当部２１は、例えば、ブロックＢ１，Ｂ２，Ｂ３，Ｂ４を待避ブロックとして割り当てるようにする。この場合、ブロックＢ１，Ｂ２，Ｂ３，Ｂ４がリング状のバッファを構成する。
ブロック割当部２１における待避ブロックの割り当てタイミングは、例えば、映像識別部１７の識別結果がプリアラーム記録を行う映像である旨を示しているとき、その映像を一時的に格納する待避ブロックが未だ割り当てられていないことが判明した時点でもよいし、監視映像記録装置の初期設定時でもよい。
【００４３】
したがって、この実施の形態３では、映像プリアラーム記録部２２は、映像識別部１７の識別結果がプリアラーム記録を行う映像である旨を示している場合、映像変換部１５により変換された映像を待避ブロックに記録する。
即ち、映像プリアラーム記録部２２は、ブロックＢ１→Ｂ２→Ｂ３→Ｂ４の順序で、映像変換部１５により変換された映像をサイクリックに記録し、ブロックＢ１〜Ｂ４の全てに映像を記録すると、ブロックＢ１に記録されている最も古い映像の上に最新の映像を上書きする。
【００４４】
また、映像プリアラーム記録部２２は、アラーム信号受信部１６がアラーム信号を受信すると、待避ブロックであるブロックＢ１，Ｂ２，Ｂ３，Ｂ４，Ｂ１に対する上書き記録を中止して、ブロックＢ１，Ｂ２，Ｂ３，Ｂ４，Ｂ１の管理情報を更新し、プリアラーム記録を行ったブロックとして登録し直すようにする。
また、同時に、別の領域（最古の常時記録映像が記録されたブロック）を使用して、新たな待避ブロック（この例では、４個のブロック）を確保するようにする。
ブロック割当部２１におけるプリアラーム記録を行うブロックの割当処理は、図１のブロック割当部１３と同様であるため説明を省略する。
【００４５】
以上で明らかなように、この実施の形態３によれば、ブロック割当部２１が映像待避部１２の代わりに、映像変換部１５により変換された映像を一時的に保管する待避ブロックとして、記録媒体１１における複数のブロックの中の任意のブロックを割り当てるように構成したので、メモリ上に映像待避部１２を確保する場合より、時間的に大きく遡ったプリアラーム記録を実現することができるとともに、記録媒体１１に対する映像の記録制御の容易化を図ることができる効果を奏する。
【００４６】
実施の形態４．
上記実施の形態１〜３では、特に言及していないが、ブロック割当部１３，２１が映像の常時記録及びプリアラーム記録を行うブロックを割り当てる際、記録媒体１１における複数のブロックの中の不要なブロックを優先的に割り当てるようにしてもよい。
例えば、過去に上書き禁止に設定され、その後、上書き禁止を解除されたブロックが記録媒体１１上に存在する場合、このようなブロック（以下、「上書き禁止解除ブロック」と称する）に記録されている映像は、一般的に不要な映像である場合が多い。
【００４７】
そこで、ブロック割当部１３，２１は、記録媒体１１における上書き禁止解除ブロックの中で、前後のブロックより時間的に古いブロックについては、映像の常時記録及びプリアラーム記録を行うブロックとして、他のブロックより優先的に割り当てるようにする。
これにより、常時記録の映像が記録されているブロックに対して、他の映像が上書きされるまでの時間が長くなり、より多くの映像を常時記録することができる効果を奏する。
【図面の簡単な説明】
【００４８】
【図１】この発明の実施の形態１による監視映像記録装置を示す構成図である。
【図２】記録領域が固定長のブロックに分割されている記録媒体を示す説明図である。
【図３】この発明の実施の形態１による監視映像記録装置が映像を常時記録する際の処理内容を示すフローチャートである。
【図４】この発明の実施の形態１による監視映像記録装置が映像をプリアラーム記録する際の処理内容を示すフローチャートである。
【図５】監視カメラの記録方式が示されているテーブルを示す説明図である。
【図６】記録媒体に構成されるリングバッファを示す説明図である。
【図７】この発明の実施の形態３による監視映像記録装置を示す構成図である。
【符号の説明】
【００４９】
１  監視カメラ、２  アラーム信号源、１１  記録媒体、１２  映像待避部（映像プリアラーム記録手段）、１３  ブロック割当部（ブロック割当手段）、１４  映像受信部（映像受信手段）、１５  映像変換部、１６  アラーム信号受信部（アラーム信号受信手段）、１７  映像識別部（映像識別手段）、１８  映像常時記録部（映像常時記録手段）、１９  映像プリアラーム記録部（映像プリアラーム記録手段）、２１  ブロック割当部（ブロック割当手段）、２２  映像プリアラーム記録部（映像プリアラーム記録手段）。
【図１】
2008182460.tif 000003
【図２】
2008182460.tif 000004
【図３】
2008182460.tif 000005
【図４】
2008182460.tif 000006
【図５】
2008182460.tif 000007
【図６】
2008182460.tif 000008
【図７】
2008182460.tif 000009